(57)【要約】【課題】機内に上下に並んで設けられた２つの排紙装置（排紙部）を有することを前提とし、排紙部に導かれる用紙の音及びキズの発生を防ぐことが可能な画像形成装置を提供する。【解決手段】画像形成部１の上方に第１排紙部２と第２排紙部３を重ねて設け、その上流側に用紙をいずれかの排紙部に向かわせる分岐爪６を設けた画像形成装置において、分岐爪６上流側に、用紙に対し接離可能で用紙にこしをつけるこし付け部材１１を設けた。【選択図】      図２
2004345801.tif 000002
【特許請求の範囲】
【請求項１】
画像形成部の上方に第１排紙部と第２排紙部を重ねて設け、その上流側に用紙をいずれかの排紙部に向かわせる分岐爪を設けた画像形成装置において、分岐爪上流側に、用紙に対し接離可能で用紙にこしをつけるこし付け部材を設けたことを特徴とする画像形成装置。
【請求項２】
請求項１記載の画像形成装置において、分岐爪の駆動とこし付け部材の駆動源を同一としたことを特徴とする画像形成装置。
【請求項３】
請求項１記載の画像形成装置において、こし付け部材を分岐爪に一体形成したことを特徴とする画像形成装置。
【発明の詳細な説明】
【０００１】
【発明の属する技術分野】
本発明は、複写機、プリンタ等の画像形成装置に関し、特に機内に上下に並んで設けられた２つの排紙装置（排紙部）を有する画像形成装置に関する。
【０００２】
【従来の技術】
複写機、プリンタ、ファクシミリ等の画像形成装置において、画像形成の済んだ用紙を機械側面に排紙せずに、原稿読み取り装置と画像形成部との間に設けたスペース内、つまり機内に排紙することで装置の占有面積を狭くするように配慮した画像形成装置がある。例えば、複写機とファクシミリの機能を併せ持つ複合機では、コピーとＦＡＸで異なった排紙口に排紙できれば、既に送られてきていたＦＡＸとコピーが誤って混入することがなく便利であることから、２つの排紙装置を上下に並べることで、占有面積を増やさずに仕分けを可能にする画像形成装置が提案されている。
また、排紙装置の排紙ローラにおいては、搬送方向に平行な方向にくせをつけることでこしを強くし、用紙の直進性を上げることで用紙積載時のスタック性を向上させる方式が広く採用されている。
【０００３】
【発明が解決しようとする課題】
しかし、２つの排紙装置を上下に並べるには、第１排紙装置の排紙ローラから搬送された用紙を第２の排紙装置に導くためにＳ字型の搬送経路が必要になる。この場合装置自体の幅、高さを小さくするにはＳ字パスの曲率も小さくしなければならないし、第１排紙装置の排紙ローラとＳ字パスの距離を短くしなければならない。このため、第１排紙ローラで搬送方向と平行のくせがついた用紙がＳ字パスにならう際に、音及びキズが発生してしまう。
本発明は、機内に上下に並んで設けられた２つの排紙装置（排紙部）を有することを前提とし、排紙部に導かれる用紙の音及びキズの発生を防ぐことが可能な画像形成装置を提供することを目的とする。
【０００４】
【課題を解決するための手段】
上記目的を達成するために、請求項１記載の発明は、画像形成部の上方に第１排紙部と第２排紙部を重ねて設け、その上流側に用紙をいずれかの排紙部に向かわせる分岐爪を設けた画像形成装置において、分岐爪上流側に、用紙に対し接離可能で用紙にこしをつけるこし付け部材を設けた画像形成装置を最も主要な特徴とする。
請求項２記載の発明は、請求項１記載の画像形成装置において、分岐爪の駆動とこし付け部材の駆動源を同一とした画像形成装置を主要な特徴とする。
請求項３記載の発明は、請求項１記載の画像形成装置において、こし付け部材を分岐爪に一体形成した画像形成装置を主要な特徴とする。
【０００５】
【発明の実施の形態】
以下、本発明の実施形態を図面に従って説明する。
図１は本発明が適用される画像形成装置の概略構成図、図２は本発明の画像形成装置の要部であるこし付け部の第１の実施例及びその周辺を示す拡大正面図、図３は同、斜視図、図４は本発明の画像形成装置の要部であるこし付け部の第２の実施例及びその周辺を示す拡大正面図、図５は用紙のくせを示す側面図、図６、図７はこし付け用紙の搬送姿勢を示す斜視図である。また図８は参考までに示す本発明が適用される画像形成装置の概略斜視図である。
図１に示すように、画像形成部１の上方に第１排紙部２と第２排紙部３を重ねて配置し、その上に原稿読み取り部４を設ける。第１排紙部２と第２排紙部３の上流側には排紙ローラ５と分岐爪６を設ける。こし付け部１１は排紙ローラ５のゴム部を避けるように軸方向位置に配置されている。図３において、符号１２は切り換え用ソレノイド、１３は爪リンク、１４はこし付けリンクを示す。
ソレノイド１２のプランジャに設けた穴内には、爪リンク１３の一端の穴１３ａとこし付けリンク１４の一端の穴１４ａが夫々ピンにより支持されており、プランジャの突出入に応じて爪リンク１３とこし付けリンク１４が作動する。爪リンク１３は、他端に設けた穴１３ｂ内に分岐爪６の一端に設けた軸６ａが嵌合しているため、プランジャの突出入時に爪リンク１３は水平方向へ進退する。また、爪リンク１３はバネによって常時一定方向へ付勢されている。分岐爪６は、軸６ｂを中心として回動する。一方、こし付けリンク１４は、他端に設けた軸１４ｂをこし付け部１１に連結してこし付け部１１を回動させる。符号１４ｃは回動中心である。各こし付け部１１は、その一端を搬送方向と直交する方向へ延びる連設軸１１ａによって一体的に支持され、連設軸１１ａはその一端部に連設片１１ｂを有する。この連設片１１ｂの一端には軸１４ｂに遊嵌する長穴を有している。連設片１１ｂは、バネによって反時計回り方向へ弾性付勢されている。符号１１ｃは回動中心である。
【０００６】
まず、画像形成済みの用紙を第１排紙部２に排紙する際の動作を述べる。第１排紙部２に排紙する際は分岐爪６の切り換え用ソレノイド１２はＯＦＦ状態にあり、搬送経路から退避している。用紙は画像形成部１を通過後、排紙ローラ５によって搬送されるが、この時こし付け部１１によって上から押えられ図５に示されるくせを付加されながら搬送される。用紙先端の着地点を遠くにすることで、用紙は排紙トレイ７上で丸まることなく整然とスタックされる。
画像形成済みの用紙を上側の第２排紙部３に排紙する際は、切り換え用ソレノイド１２がＯＮされる。爪リンク１３は水平左方向に移動し、その結果分岐爪６は軸６ｂを中心として時計回りに回転し、排紙ローラ５によって搬送される用紙を第２排紙部３に導く位置に保持される。
この時、図５に示されるくせがついていると用紙が分岐爪６の曲率に揃う際（図６、７参照）に、用紙に折れキズが発生、また折れる時には異音も伴う。第２排紙部３に排紙する際は、こし付けリンク１４が時計回りに回転し、その結果こし付け部１１は反時計回りに回転して、用紙から離間させることができ、折れキズ、異音を防ぐ。分岐爪６の爪リンク１３とこし付け部１１のこし付けリンク１４は同じ切り換え用ソレノイド１２によって駆動されるので、新たに駆動手段を設ける必要がない。
機種バリエーションにおいて第２排紙部３を必ず装備する場合は、図４に示すように、分岐爪６の裏面にこし付け部１１を一体的に設け、第１排紙部２に排紙される用紙にこし付けを行う。第２排紙部３に排紙される場合は分岐爪６が回転し、こし付け部１１に用紙が接触することはないので折れキズ、異音が発生しない。
【０００７】
【発明の効果】
請求項１記載の発明によれば、こし付け部材が用紙に対して接離可能になっているので用紙の異音、キズが発生しない画像形成装置を提供することができる。
請求項２記載の発明によれば、分岐爪の駆動とこし付け部材の駆動源を同一としているので低価格な画像形成装置を提供することができる。
請求項３記載の発明によれば、こし付け部材を分岐爪に一体形成しているので低価格な画像形成装置を提供することができる。
【図面の簡単な説明】
【図１】本発明が適用される画像形成装置の概略構成図である。
【図２】本発明の画像形成装置の要部であるこし付け部の第１の実施例及びその周辺を示す拡大正面図である。
【図３】本発明の画像形成装置の要部であるこし付け部の第１の実施例及びその周辺を示す斜視図である。
【図４】本発明の画像形成装置の要部であるこし付け部の第２の実施例及びその周辺を示す拡大正面図である。
【図５】用紙のくせを示す側面図である。
【図６】こし付け用紙の搬送姿勢を示す斜視図である。
【図７】こし付け用紙の搬送姿勢を示す斜視図である。
【図８】本発明が適用される画像形成装置の概略斜視図である。
【符号の説明】
１  画像形成部
２  第１排紙部
３  第２排紙部
６  分岐爪
１１  こし付け部（こし付け部材）
【図１】
2004345801.tif 000003
【図２】
2004345801.tif 000004
【図３】
2004345801.tif 000005
【図４】
2004345801.tif 000006
【図５】
2004345801.tif 000007
【図６】
2004345801.tif 000008
【図７】
2004345801.tif 000009
【図８】
2004345801.tif 000010